(57)【要約】【課題】ストリーム信号の標準時刻に対する遅延時間を外部から与えられ、これを利用することで、確実なストリーム信号の予約録画処理等を行なえる放送受信装置。【解決手段】ネットワークを介して、標準時刻情報Ｔ、固有の放送局の番組信号をＩＰ再送信で遅延したことによる時刻補正情報ＴＡ，ＴＢ、ストリーム情報ＳＲを取得するＩＰ通信部４１と、ＩＰ通信部からの標準時刻情報と時刻補正情報とに基づき、固有の放送局の放送時刻Ｔ１を求める時刻管理部４９と、固有の放送局の番組の予約情報を格納し、時刻管理部の放送時刻に応じて、予約情報に応じたＩＰ通信部が取得したストリーム情報ＳＲの予約録画を行なう予約管理部４８をもつ放送受信装置。【選択図】図１
2007274623.tif 000002
【特許請求の範囲】
【請求項１】
ネットワークを介して、標準時刻情報、固有の放送局の番組信号をＩＰ再送信で遅延したことによる時刻補正情報、ストリーム情報を取得するＩＰ通信部と、
前記ＩＰ通信部からの前記標準時刻情報と前記時刻補正情報とに基づき、前記固有の放送局の放送時刻を求める時刻管理部と、
前記固有の放送局の番組の予約情報を格納し、前記時刻管理部の前記放送時刻に応じて、前記予約情報に応じた前記ＩＰ通信部が取得したストリーム情報の予約録画を行なう予約管理部を具備することを特徴とする放送受信装置。
【請求項２】
前記時刻補正情報は、前記放送受信装置の内部の処理による内部誤差をも含んでいることを特徴とする請求項１記載の放送受信装置。
【請求項３】
前記ＩＰ通信部が取得する標準時刻とは、ＮＴＰ（Network Time Protocol)により提供される時刻情報であることを特徴とする請求項１記載の放送受信装置。
【請求項４】
ネットワークを介して、ストリーム情報及び固有の放送局の番組信号をＩＰ再送信で遅延したことによる時刻補正情報を取得するＩＰ通信部と、
前記ＩＰ通信部からの前記ストリーム情報に含まれるストリーム時刻情報と、前記時刻補正情報とに基づいて標準時刻を算出する時刻管理部と、
前記時刻管理部が算出した前記標準時刻情報に基づき、これを時刻の画面表示に用いるか、前記固有の放送局以外の予約動作のタイミングに用いるべく処理する処理部と、
を具備することを特徴とする放送受信装置。
【請求項５】
前記時刻補正情報は、前記放送受信装置の内部の処理による内部誤差をも含んでいることを特徴とする請求項４記載の放送受信装置。
【請求項６】
前記時刻補正情報は、前記１局の放送局だけに限らず、ＩＰ再送信することにより生じた複数の局における遅延から所定の演算により求められた値であることを特徴とする請求項１又は請求項４記載の放送受信装置。
【請求項７】
ネットワークを介して、標準時刻情報、固有の放送局の番組信号をＩＰ再送信で遅延したことによる時刻補正情報、ストリーム情報を取得し、
前記標準時刻情報と前記時刻補正情報とに基づき、前記固有の放送局の放送時刻を求め、
前記固有の放送局の番組の予約情報を保存し、前記放送時刻に応じて、前記予約情報に応じたストリーム情報の予約録画を行なうことを特徴とする放送受信方法。
【請求項８】
前記時刻補正情報は、放送受信装置の内部の処理による内部誤差をも含んでいることを特徴とする請求項７記載の放送受信方法。
【請求項９】
ネットワークを介して、ストリーム情報及び固有の放送局の番組信号をＩＰ再送信で遅延したことによる時刻補正情報を取得し、
前記ストリーム情報に含まれるストリーム時刻情報と、前記時刻補正情報とに基づいて標準時刻を算出し、
前記算出した標準時刻情報に基づき、これを時刻の画面表示に用いるか、前記固有の放送局以外の予約動作のタイミングに用いるべく処理することを特徴とする放送受信方法。
【請求項１０】
前記時刻補正情報は、放送受信装置の内部の処理による内部誤差をも含んでいることを特徴とする請求項９記載の放送受信方法。
【発明の詳細な説明】
【技術分野】
【０００１】
この発明は、デジタル放送のＩＰ通信網を用いたＩＰ再送信を受信する放送受信装置及び放送受信方法に関し、特に、放送局毎の時刻情報を算出する放送受信装置及び放送受信方法に関する。
【背景技術】
【０００２】
最近、ＴＶ局の放送は、通常の電磁波からの放送受信だけではなく、例えば、インターネット等のネットワークを介して、ストリーム配信される場合が知られてきている。この場合に、放送の時間情報の遅延が問題にされる場合がある。
【０００３】
特許文献１は、内蔵時計と受信した受信した放送信号中に含まれる時間情報との差を算出し保持する手段を有し、予約設定手段は、この誤差分を修正して行なわれるデジタル放送受信機が開示されている。
【特許文献１】特開２００５−３０３７９９公報
【発明の開示】
【発明が解決しようとする課題】
【０００４】
しかし、特許文献１の従来技術においては、デジタル放送受信機の内部で、放送信号が標準時間からどれだけ遅延しているかの測定を自身が行わなければならず、直ちに正確な値を得ることができないという問題がある。
【０００５】
本発明は、ＩＰストリーム信号の標準時刻に対する補正（遅延）時間を外部から与えられ、これを利用することで、確実なストリーム信号の予約録画処理等を行なうことができる放送受信装置及び放送受信方法を提供することを目的とする。
【課題を解決するための手段】
【０００６】
上記課題を解決するべく、ネットワークを介して、標準時刻情報、固有の放送局の番組信号をＩＰ再送信で遅延したことによる時刻補正情報、ストリーム情報を取得するＩＰ通信部と、前記ＩＰ通信部からの前記標準時刻情報と前記時刻補正情報とに基づき、前記固有の放送局の放送時刻を求める時刻管理部と、前記固有の放送局の番組の予約情報を格納し、前記時刻管理部の前記放送時刻に応じて、前記予約情報に応じた前記ＩＰ通信部が取得したストリーム情報の予約録画を行なう予約管理部を具備することを特徴とする放送受信装置である。
【発明の効果】
【０００７】
ＩＰ再送信されるストリーム信号の遅延を考慮した時刻補正情報を、ネットワーク上の外部から供給されることで、自身でストリーム信号の遅延時間を測定するという煩雑な作業がいらず、安定かつ確実にストリーム信号の予約録画動作等が可能となるものである。
【発明を実施するための最良の形態】
【０００８】
以下、この発明の実施の形態について図面を参照して詳細に説明する。
【０００９】
図１は、本発明の一実施形態に係るＩＰ再送信システムの構成の一例を示すブロック図である。図２は、同じくＩＰ再送信サービスを受ける放送受信装置の構成の一例を示すブロック図である。図３は、同じくＩＰ再送信サービスを受ける放送受信装置の詳細な構成の一例を示すブロック図である。
【００１０】
＜本発明に係るデジタル放送受信機の一例＞
（ＴＶ放送局のＩＰ再送信システムの一構成）
初めに、ＴＶ放送のＩＰ再送信システムの一例を図１を用いて詳細に説明する。ＴＶ放送のＩＰ再送信システムは、ＴＶ放送局１０及びこれに接続される再送信サーバ群２０、ＩＰ通信網３０及びこれに接続される標準時刻サーバ１、ＩＰ再生信号サービス受信端末４０等を有している。なお、ここで、ＩＰ再生信号サービス受信端末４０等とは、デジタルテレビやハードディスクレコーダ等の録画機能をもったデジタル機器、又は、多機能ＰＣであっても好適である。
【００１１】
（ＩＰ再送信サービス機能をもつ放送受信装置）
次に、ＩＰ再送信システムに含まれる放送受信装置の構成例を図２及び図３を用いて説明する。放送受信装置４０は、ＩＰ通信網３０に接続されているＩＰ通信部４１と、ＩＰ通信部４１に接続されるストリーム分離部４２と、ストリーム分離部４０から映像ストリームを供給される画面表示処理部４３と、録画処理部４４とを有している。
【００１２】
更に、放送受信装置４０は、ＩＰ通信部４１に接続され選択可能なチャンネル情報を管理する番組情報管理部４６と、番組情報管理部４６にそれぞれ接続される選局処理部４５と、録画予約を行なう予約情報管理部４８と、時刻情報管理部４９と、時刻情報管理部４９に接続される時刻誤差管理部５０と、先の選局処理部及び予約情報管理部４８に接続されるユーザ操作入力部４７とを有している。
【００１３】
時刻誤差管理部５０は、ＩＰ再送信情報サーバ２４から得られた誤差情報に加え、受信端末４０でのストリーム受信処理で発生する遅延時間を加えた時間を、時刻補正用データとして保存する。又、時刻情報管理部４９は、ＮＴＰをサポートする標準時刻サーバ１から標準時刻ＴをＩＰ通信網３０を介して取得し、システム時刻として設定する。
【００１４】
又、更に、本発明の一実施形態に係る放送受信装置４０は、図３に示すように、ＴＶアンテナ５１に接続されるＴＶ放送受信部５２を更に有しており、この出力信号がストリーム分離部４２に供給される。
【００１５】
ストリーム分離部４２は、入力されたＴＶ放送信号ストリームからＴＶ画面に表示したい信号を分離し画面表示処理部４３に供給すると同時に、ＴＶ放送信号ストリームから番組情報等の付随情報を分離して番組情報管理部４６に保存する。保存された番組情報を使用すれば、番組表を表示させることができ、番組表画面から番組を指定して録画予約を設定することも可能である。
【００１６】
ユーザ操作入力部４７から、番組表または日時指定により録画予約指示が入力されると、予約情報は、予約管理部４８に供給される。予約情報管理部４８は、予約指定されたチャンネルの時刻補正情報を時刻誤差管理部５０から取得して、入力された録画動作時刻を補正し、予約実行時刻として保存する。
【００１７】
このような構成をもつ放送受信装置４０は、再送信サーバ群２０から与えられるＴＶ放送局１０から与えられた映像信号をＩＰ通信網３０を介してＩＰストリーム信号として供給される。ＩＰストリーム信号は、ＩＰ通信部４１を介してストリーム分離部４２において分離され、画面表示処理部４３と録画処理部４４にそれぞれ供給される。そして、ＩＰストリーム信号に応じた映像及び音声が図示しない表示部やスピーカ部を介して再生されるものである。
【００１８】
＜放送時刻の算出方法：図４，図５＞
図４は、同じく放送受信装置における標準時刻Ｔと放送時刻Ｔ１とストリーム時刻Ｔ２の一例を示すタイミングチャート、図５は、同じく放送受信装置における標準時刻Ｔと補正値ＴＡとから放送時刻Ｔ１を求める処理の一例を示すフローチャートである。
【００１９】
・遅延時間の不具合
このような働きをもつ放送受信装置４０において、ＴＶアンテナを介して受信される放送番組や、ＩＰ通信網を介して与えられ再生される放送番組は、同一内容であっても、遅延時間が異なる。従って、単に放送受信装置４０内のシステム時刻で例えば予約録画を管理する場合、ＩＰストリーム信号による番組を録画すると、数秒の遅れが生じる場合がある。
【００２０】
ここで、例えば、通信形態により異なる遅延時間の一例をいくつかあげる。最も遅延がなく伝達されるものが電磁波で伝達されるアナログＴＶ放送であり、１秒以内の遅延時間であるといえる。次に、電磁波で伝達されるデジタルＴＶ放送であり、１〜２秒前後の遅延時間であると言える。更に、今回のＩＰ通信網３０等を介したＩＰストリーム信号によるＩＰ再送信サービスであると、数秒以上の遅延が観測される場合がある。
【００２１】
このような通信形態による遅延時間の変化は、例えば、ハードディスクレコーダ等による予約録画を行なう場合、番組の開始時刻、終了時刻を外してしまい、不具合の多い録画状態であり改善を要されるものである。従って、放送局毎の時刻情報を取得することが、正確な録画予約処理を実現させる鍵となるものである。
【００２２】
・放送時刻Ｔ１の算出方法
次に、ＮＴＰ(Network Time Protocol)による標準時刻Ｔ及び再送信サーバ群２０による補正値ＴＡにより、あるＩＰストリームの局の放送時刻Ｔ１を求める工程を図４のグラフ及び図５のフローチャートに沿って説明する。
【００２３】
放送受信装置４０において、初めに、ユーザ操作入力部４７等を介して録画予約情報が入力される（ステップＳ１１）。その後、図２及び図３の時刻情報管理部４９は、このチャンネルに時刻補正情報である補正値ＴＡが存在するか否かを判断する。チャンネルに応じた時刻補正情報である補正値ＴＡは、図１の再送信サーバ群２０の時刻誤差算出部２３により生成されるものである。チャンネルに応じた時刻補正情報である補正値ＴＡが  存在すれば、図４に示すように、標準時刻Ｔに補正値ＴＡと放送受信装置４０での補正値ＴＢとを合成して、推定される放送時刻Ｔ１を補正する（Ｓ１３）。そして、この放送時刻Ｔ１に応じた例えば、図２、図３の予約情報管理部４８の録画予約の予約テーブルを更新する（ステップＳ１４）。これにより、通信形態にかかわらず、正確で安定した録画予約処理を可能とするものである。
【００２４】
なお、誤差値ＴＥは、これらの理論値では推測できなかった値であり、最終的な再配信ストリーム信号ＳＲのストリーム時刻Ｔ２は、放送時刻Ｔ１と誤差値ＴＥ分だけ誤差を有するものである。しかし、誤差値ＴＥが安定していれば、後述するように次回からは誤差値ＴＥをも含めた非常に正確な値を予測することが可能となるものである。
【００２５】
＜標準時刻Ｔの算出方法：図６，図７＞
次に、ＩＰ通信網３０上のＮＴＰ(Network Time Protocol)による標準時刻Ｔが検出できない場合において、ストリーム時刻Ｔ２と補正値ＴＡ，補正値ＴＢとに基づいて、標準時刻Ｔを推定する方法を図６のタイミングチャート及び図７のフローチャートを用いて説明する。
【００２６】
初めに、時刻情報管理部４９は、ＩＰ通信部４１から取得したストリームからストリーム時刻Ｔ２を取得する（ステップＳ２１）。次に、再送信サーバ群２０から時刻補正情報ＴＡを取得すれば（ステップＳ２２）、図６に示すように、ストリーム時刻Ｔ２から補正値ＴＡ，補正値ＴＢを減算することにより、補正時刻Ｔ３を算出する（ステップＳ２３）。これにより、標準時刻Ｔにほぼ近い値の補正時刻Ｔ３が得られるものである（ステップＳ２４）。
【００２７】
この補正時刻Ｔ３を用いて、例えば、テレビ画面に表示する時刻表示や、他の放送系の予約動作時の開始タイミングとして使用することが可能となる。
【００２８】
なお、その後、誤差値ＴＥを実際の標準時刻Ｔを入手して求めることにより、正確な値ＴＥを反映させた受信端末の補正値ＴＢとすることにより、誤差のない標準時刻Ｔを推定することが可能となる（ステップＳ２５）。
【００２９】
なお、上記ステップＳ２５では単純な加算演算の例を挙げたが、他の、例えば時定数をもたせた制御演算としてもよい。
【００３０】
以上によれば、録画予約時に設定された時刻と、受信されるＴＶ放送信号ストリームの時刻のずれが補正され、ユーザの所望する番組を過不足なく録画することが可能である。
【００３１】
＜その他の実施形態＞
上記の実施形態では、ＩＰ再送信情報サーバ２４が供給する時刻誤差情報は、標準時刻と一つのＴＶ放送信号（放送局）の時刻との誤差だけとした。しかし、一つの放送局だけではなく、複数の放送局に関するＩＰ通信網での遅延時間の平均等を代表値を時刻誤差情報として用いることで、一つの放送局にとらわれない複数の放送局に渡って
精度の高い補正が可能である。
【００３２】
又、録画終了時刻については、受信したＴＶ放送ストリームから取得される時刻情報に従うこととすれば、補正時刻に誤差があったとしても、終了時刻は正確に動作させることができる。
【００３３】
又、上記の実施形態では、サーバ、受信端末それぞれで、実行時に遅延時間を測定する場合について説明したが、事前に測定した値や、机上計算値等を使用してもよい。
【００３４】
又、上記の実施形態では、チャンネル毎に時刻誤差情報を提供する例を挙げたが、サービス全体での時刻誤差の差が小さい場合は、サービス全体の代表値を提供することにしてもよい。
【００３５】
又、上記の実施形態では、ＴＶ信号ストリームをＩＰ再送信する際の時刻誤差情報だけを扱ったが、通常のデジタル放送の時刻誤差情報も情報サーバで提供することで、通常のデジタル放送についても時刻誤差を補正することが可能である。
【００３６】
又、サーバ側で提供する時刻誤差情報が、標準時刻からの誤差ではなく、ＴＶ放送から取得できる時刻情報からの誤差としてもよい。但し、その場合の受信端末で補正できる補正時刻は、受信端末が通常のＴＶ放送を直接受信した時に得られる時刻情報と同程度となる。受信端末は、簡易な手段により、基準時刻から受信されるＴＶ放送信号に含まれる時刻に補正でき、予約動作時にも過不足ないタイミングで信号を切換えることができるようになる。
【００３７】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００３８】
【図１】本発明の一実施形態に係るＩＰ再送信システムの構成の一例を示すブロック図。
【図２】本発明の一実施形態に係るＩＰ再送信サービスを受ける放送受信装置の構成の一例を示すブロック図。
【図３】本発明の一実施形態に係るＩＰ再送信サービスを受ける放送受信装置の詳細な構成の一例を示すブロック図。
【図４】本発明の一実施形態に係る放送受信装置における標準時刻Ｔと放送時刻Ｔ１とストリーム時刻Ｔ２の一例を示すタイミングチャート。
【図５】本発明の一実施形態に係る放送受信装置における標準時刻Ｔと補正値ＴＡとから放送時刻Ｔ１を求める処理の一例を示すフローチャート。
【図６】本発明の一実施形態に係る放送受信装置におけるストリーム時刻Ｔ２と補正値ＴＡとから補正時刻Ｔ３を求める処理の一例を示すタイミングチャート。
【図７】本発明の一実施形態に係る放送受信装置におけるストリーム時刻Ｔ２と補正値ＴＡとから補正時刻Ｔ３を求める処理の一例を示すフローチャート。
【符号の説明】
【００３９】
１…標準時刻サーバ、１０…ＴＶ放送局、２０…再送信サーバ群、２１…ＴＶ放送受信部、２２…ＩＰ再送信サーバ、２３…時刻誤差算出部、２４…ＩＰ再送信情報サーバ、３０…ＩＰ通信網、４０…ＩＰ再送信サービス受信端末、Ｔ…標準時刻、Ｔ１…放送時刻、Ｔ２…ストリーム時刻、Ｔ３…補正時刻、ＴＥ…誤差、ＴＡ…サーバで算出した補正値、ＴＢ…受信端末の補正値。
【図１】
2007274623.tif 000003
【図２】
2007274623.tif 000004
【図３】
2007274623.tif 000005
【図４】
2007274623.tif 000006
【図５】
2007274623.tif 000007
【図６】
2007274623.tif 000008
【図７】
2007274623.tif 000009